(57)【特許請求の範囲】
【請求項１】
排泄物が排泄される排泄槽を有した便器本体と、
前記排泄槽の上部周縁部に設けられた導水路と、
前記導水路から前記排泄槽に向かって水が放出されるように開口した放水口を有し、前記排泄槽へ向けて水幕にする放水制御機構と
を有し、
前記導水路および前記放水制御機構は、前記放水制御機構から放出された複数の水幕が衝突するように配設され、
前記放水口が円形または長孔状であり、前記放水制御機構が、前記円形または長孔状の放水口から放出された水と接触し、放出された水を方向変換するとともに幕状に広がらせるガイド部を備え、
前記放水口が、前記排泄槽から上部周縁部において略上方に向かって開口し、前記ガイド部が、前記放水口の上側に設けられ、前記排泄槽の外側から内側に向かって湾曲した湾曲面を有し、前記放水口から放出された水が前記湾曲面によって方向変換されて、前記排泄槽内に向けて水を幕状に広がらせる
ことを特徴とする水洗便器。
【請求項２】
前記導水路が、前記排泄槽の左右両側に延び、前記放水制御機構により前記排泄槽の左右両側から幕状に水が放出されて前記水幕を形成し、前記排泄槽の中央部で前記水幕が衝突するように構成された請求項１記載の水洗便器。
【発明の詳細な説明】
【技術分野】
【０００１】
本発明は、水洗便器に関する。さらに詳しくは、排泄物が排泄される排泄槽を有する便器本体を備えた水洗便器であって、排泄槽の上部周縁部に連通する導水路と、導水路から排泄槽内部に向かって水が放出されるように開口した放水口とを有し、排泄槽に向けて水幕にする放水制御機構を有する水洗便器に関するものである。
【背景技術】
【０００２】
従来技術としては、特許文献１に一般的な水洗便器が開示されている。この水洗便器を図１２に示す。図１２に示す洋式の水洗便器１０１は、その上部に便座１０２が載置される。便座１０２は便蓋１０３と共に便座本体１０４に上下起倒自在に軸支されている。
【先行技術文献】
【特許文献】
【０００３】
【特許文献１】特開２０１３−７９５７８号公報
【発明の概要】
【発明が解決しようとする課題】
【０００４】
特許文献１に記載の水洗便器１０１の場合、男性は、便座１０２と便蓋１０３を起こして、立ち姿勢で排尿を行う。この際、尿が水洗便器１０１の排泄槽１１１（水洗便器１０１の内部）に当たって水洗便器１０１の周辺に飛び散り、トイレを汚してトイレの衛生状態を悪化させてしまうという問題がある。
【０００５】
本発明は、上記の事情に鑑みてなされたものであり、男性が立ち姿勢で排尿した際に尿が便器周辺に飛び散るのを防いで、トイレを清潔に保ち、トイレの衛生状態を向上させることができる水洗便器を提供することを目的とする。
【課題を解決するための手段】
【０００６】
上記の課題を解決するための本発明にかかる水洗便器は、排泄物が排泄される排泄槽を有した便器本体と、前記排泄槽の上部周縁部に設けられた導水路と、前記導水路から前記排泄槽に向かって水が放出されるように開口した放水口を有し、前記排泄槽へ向けて水幕にする放水制御機構とを有し、前記導水路および前記放水制御機構は、前記放水制御機構から放出された複数の水幕が衝突するように配設され、前記放水口が円形または長孔状であり、前記放水制御機構が、前記円形または長孔状の放水口から放出された水と接触し、放出された水を方向変換するとともに幕状に広がらせるガイド部を備え、前記放水口が、前記排泄槽から上部周縁部において略上方に向かって開口し、前記ガイド部が、前記放水口の上側に設けられ、前記排泄槽の外側から内側に向かって湾曲した湾曲面を有し、前記放水口から放出された水が前記湾曲面によって方向変換されて、前記排泄槽内に向けて水を幕状に広がらせることを特徴とする。
【００１０】
前記導水路が、前記排泄槽の左右両側に延び、前記放水制御機構により前記排泄槽の左右両側から幕状に水が放出されて前記水幕を形成し、前記排泄槽の中央部で前記水幕が衝突するように構成されるのが好ましい。
【発明の効果】
【００１１】
本発明の水洗便器は、男性が立ち姿勢で排尿する際において、放水制御機構により、導水路の放水口から排泄槽内部に向かって放出される水を幕状にして水幕にすることができる。また、排泄槽で複数の水幕を衝突させることができる。これにより、排泄された尿は、水幕に当たって水幕を貫通するか、水幕と共に水幕同士が衝突する箇所に向けて流される。また、水幕を貫通した尿は、水幕の下側で排泄槽に当たって跳ね返っても、新たに形成された水幕により水幕の上方に跳ね返らない。以上の結果、尿は便器周辺に飛び散ることがなく、トイレを清潔に保ち、トイレの衛生状態を向上させることができる。
【００１２】
本発明の水洗便器は、放水口を円形または長孔状とし、放水制御機構が、円形または長孔状の放水口から放出された水と接触し、放出された水を方向変換するとともに幕状に広がらせるガイド部を備えるようにすることができる。放水口を円形とする場合、放水口は、導水路に孔を形成するだけでよいため、便器本体の製造を容易に行うことができる。また、放水口を長孔状とする場合、放水口の開口面積を確保しやすいため、異物等により目詰まりしにくい。そのため、排尿時、導水路から排泄槽へ安定して水を供給することができる。
【００１３】
上記のように、本発明の水洗便器がガイド部を備える場合、放水口が、排泄槽から上部周縁部において略上方に向かって開口し、ガイド部が、放水口の上側に設けられ、かつ排泄槽の外側から内側に向かって湾曲した湾曲面を有し、放水口から放出された水が湾曲面によって方向変換されて、排泄槽内に向けて水を幕状に広がるようにすることができる。この場合、放水制御機構に必要なスペースが少なくて済み、また、ガイド部も湾曲面を有した形状にすれば良いだけである。そのため、水洗便器の容易な製造に貢献できる。
【００１４】
本発明の水洗便器は、放水制御機構の放水口を、導水路の配設方向に沿って排泄槽内部に向かって開口したスリット状とし、スリット状の放水口から放出された水が幕状となるようにすることができる。この場合、放出口から出る水を水幕にするためのガイド部を設ける必要がない。この結果、水洗便器の部品点数や、水洗便器を製造するための時間を削減でき、水洗便器の製造コストを低減することができる。
【００１５】
本発明の水洗便器は、導水路を排泄槽の左右両側に延ばし、放水制御機構により排泄槽の左右両側から幕状に水を放出して水幕を形成し、排泄槽の中央部で水幕が衝突するようにすることができる。この場合、形成する水幕が２つで済み、本発明の水洗便器を実現するために必要な水の使用量を抑えることができるため、環境保全の面で優れている。
【図面の簡単な説明】
【００１６】
【図１】本発明にかかる水洗便器（洋式）の正面図である。
【図２】図１の平面図である。
【図３】図１のＡ−Ａ断面図である。
【図４】図３のＢ部拡大図である。
【図５】図４のＣ−Ｃ断面図である。
【図６】図１に示す本発明の水洗便器において、排泄槽へ向けて水幕が広がっている状態を説明する平面図である。
【図７】図１に示す本発明の水洗便器において、排泄槽へ向けて広がっている水幕に尿を当てた際の状態を説明する断面図である。
【図８】本発明の第２の実施形態を示す断面図である。
【図９】図８のＤ−Ｄ断面図である。
【図１０】本発明の第３の実施形態を示す断面図である。
【図１１】図１０のＥ方向矢視図である。
【図１２】従来の水洗便器（洋式）を説明する斜視図である。
【発明を実施するための形態】
【００１７】
以下、図１〜図１１を参照して、本発明にかかる水洗便器の実施形態について説明する。なお、図１、図３、図７では、説明の便宜上、便器本体２の底側（設置面側：各図面の下側）を「下側」、便器本体２の上側（設置面とは反対側：各図面の上側）を「上側」として説明する。また、図１では、説明の便宜上、後述する上部周縁部６を部分的に断面にして示している。
【００１８】
図１に本発明の第１の実施形態として、洋式の水洗便器を示す。この水洗便器１は、便器本体２で主要部が構成される。便器本体２は、図２に示すように、内部に、排泄物が排泄される排泄槽１２を有する。この排泄槽１２は、図２に示すように、上側で楕円形状に開口している。ここで、「便器本体」は、排泄槽を備えたものであり、便座が配設される洋式の水洗便器、あるいはトイレの床に埋め込まれた和式の水洗便器のいずれも含む。また、「排泄槽」は、便器本体２にくぼみ状に設けられた槽を意味する。
【００１９】
図１に示すように、便器本体２は、排泄槽１２の上側に、排泄槽１２の外周に沿って環状に設けられた上部周縁部６を有する。上部周縁部６は、図示しない起倒自在な便座を倒したときに、便座が載置される部位である。また、上部周縁部６は、図４に示すように、上部壁６ａと舌状部６ｂとで構成されている。上部壁６ａは、排泄槽１２の上側に環状に連続して形成され、舌状部６ｂも、排泄槽１２の周囲に環状に連続して形成されている。
【００２０】
便器本体２の材質は特に限定されるものではない。例えば、セラミック、ステンレス、ＦＲＰ（繊維強化プラスチック）、鉄などで成形することができる。
【００２１】
排泄槽１２の上部周縁部６には、排泄槽１２の上部周縁部６に水を供給するための導水路３が設けられている。本実施形態では、導水路３は、それぞれ排泄槽１２の周囲に環状に形成された上部壁６ａと舌状部６ｂの間に管状の空間を設けることにより、形成されている。導水路３は、図３および図４に示すように、導水路３から排泄槽１２内に向かって水が放出されるように開口した放水口４ａを有する。放水口４ａの形状は、図５に示すように円形である。ここで、「導水路」とは、水の供給源（例えば、貯水タンクなど）から排泄槽１２の上部周縁部６に連通されている水路を意味する。
【００２２】
本実施形態では、図３および図４に示すように、導水路３の放水口４ａを有し、放水口４ａから放出される水を排泄槽１２へ向けて水幕５にする放水制御機構７を有する。この放水制御機構７は、図３に示すように、放水口４ａから放出された水と接触し、放水口４ａから放出された水を方向変換するとともに幕状に広がらせるガイド部１６を備える。
【００２３】
この第１の実施形態にかかる水洗便器１の構成について、以下でさらに詳説する。
【００２４】
図３に示すように、放水口４ａは、排泄槽１２から上部周縁部６において略上方に向かって開口している。ガイド部１６は、放水口４ａの上側に設けられ、上部周縁部６の上部壁６ａの先端部で構成されている。また、図４に示すように、ガイド部１６は、放水口４ａから略上方に向かって放出された水を、上方から排泄槽１２（図３を参照）の中央部に向けて曲げるために、排泄槽１２の外側から内側に向かって湾曲した湾曲面１６ａを有している。放水口４ａから放出された水は、湾曲面１６ａによって方向変換されて、排泄槽１２内に向けて幕状に広がる。
【００２５】
また、図２および図３に示すように、導水路３が、排泄槽１２の左右両側（図２の上下両側、図３の左右両側）、つまり排泄槽１２の幅方向両側で延びるようにしている。この構成により、後で詳述する図７に示すように、放水制御機構７により排泄槽１２の左右両側から幕状に水が放出されて水幕５が形成され、排泄槽１２の中央部（幅方向中央部）で水幕５が衝突する。
【００２６】
次に、図６および図７を参照して、水洗便器１を使用して男性が立ち姿勢で排尿する際の水洗便器１の動作および効果等について説明する。
【００２７】
まず、男性が排泄槽１２に向けて排尿する前に、図６中矢印Ｘで示すように、図示しない貯水タンクから、レバーやスイッチ、あるいはリモコン等の適宜の手段により、導水路３へ水を引いて導水路３を水で満たす。
【００２８】
導水路３が水で満たされた後、図６および図７に示すように、導水路３内の水は、放水口４ａから排泄槽１２に向けて放出される。
【００２９】
ここで、円形の放出口４ａから放出された水は、放水口４ａからの放出直後は、線状に水が放出されるが、ガイド部１６の内側の湾曲面１６ａ（図４を参照）でガイドされて方向変換されるとともに、湾曲面１６ａに衝突した際に、水の放出方向に対して左右に広がる。複数の円形の放出口４ａから放出された水は、それぞれ湾曲面１６ａと衝突して左右に広がるとともに、隣接する放出口４ａから放出された水と湾曲面１６ａ上で合流して水幕５を形成する。このようにして、図４および図７中に示すように、便器本体２の排泄槽１２内へ向けて水幕５として幕状に広がる（図４、図８、図１０は説明の便宜上、導水路３内の水を図示していない）。
【００３０】
また、導水路３は、環状の上部周縁部６に沿って排泄槽１２の左右両側（排泄槽１２の幅方向両側で、図６では上下側、図７では左右側）に延びているため、水幕５は、図６および図７に示すように、便器本体２の排泄槽１２の左右両側で形成される。そのため、図６および図７で示すように、２つの水幕５が、排泄槽１２の中央部（幅方向中央部）で衝突する。
【００３１】
上記のように、２つの水幕５が衝突している状態で、男性が水幕５に向けて立ち姿勢で排尿すると、尿は、図７中矢印Ｒ１で示すように、水幕５を貫通して水幕５の内部へ入り込むか、図７中矢印Ｒ２示すように、水幕５と共に、２つの水幕５が衝突している排泄槽１２の中央部（幅方向中央部）へ流される。また、水幕５を貫通した尿は、水幕５の下側で排泄槽１２に当たって跳ね返っても、新たに形成された水幕５により水幕５の上方に跳ね返らない。以上の結果、尿は水洗便器１の周囲へ飛び散ることがない。
【００３２】
また、便器本体２の上部周縁部６から排泄槽１２の中央部に向けて斜め下方に向かう流れを持つ２つの水幕５を衝突させているため、一方の水幕５に尿が衝突して跳ねても、この跳ねた尿は他方の水幕５に取り込まれる。この点も、尿が水洗便器１の周囲へ飛び散るのを防止するのに貢献している。
【００３３】
以上の通り、本実施形態の水洗便器１によれば、水幕５を形成すること、および水幕５同士を衝突させることにより、男性が立ち姿勢で排尿しても、この尿が水洗便器１の周囲へ飛び散ることがない。そのため、トイレが汚れにくく、トイレの衛生状態を従来よりも大幅に向上させることができる。
【００３４】
また、本実施形態では、導水路３の放水口４ａを円形にしている。そのため、導水路３への放水口４ａの形成は、導水路３に孔を形成するだけでよく、便器本体２の製造が容易である。また、少量の水で水幕５を形成できるため、環境保全の面で優れている。また、本実施形態では、放水口４ａの形成は、導水路３に孔を形成するだけでよいため、便器本体２の上部周縁部６の加工を少なく抑えることができる。そのため、上部周縁部６の強度を確保しやすい。この点は、上部周縁部６が、図示しない便座が載置される関係上、強度に優れていることが要求される観点から、好ましい。
【００３５】
図８および図９に本発明の第２の実施形態を示す。なお、以下に説明する実施形態では、水洗便器１の基本構造や機能等については、図１に示す第１の実施形態の水洗便器１と同じであるため、第１の実施形態と重複する内容については説明を省略する。
【００３６】
この第２の実施形態では、図９に示すように、導水路３の放水口４ｂを長孔状にしている点で、図５に示す第１の実施形態の円形の放水口４ａとは相違する。
【００３７】
このように、第２の実施形態では、導水路３の放水口４ｂを長孔状にしている。この場合、放水口４ｂは、開口面積が大きく確保され、異物等により目詰まりしにくい。そのため、男性の排尿時、導水路３から排泄槽１２（図２、図３等を参照）へ安定して水を供給することができる。また、放水口４ｂからは、ある程度幕状にした状態で水を放出できるため、ガイド部１６から排泄槽１２内へ向けて水幕５を形成しやすい。そのため、少量の水で水幕５を形成でき、環境保全の面で優れている。
【００３８】
図１０および図１１に本発明の第３の実施形態を示す。この第３の実施形態では、放水制御機構７の放水口４ｃが、導水路３の配設方向（便器本体２の環状の上部周縁部６）に沿って排泄槽１２内部に向かって開口したスリット状である点で、図４および図５に示す第１の実施形態の円形の放水口４ａ、図８および図９に示す第２の実施形態の長孔状の放水口４ｂとは相違する。また、この第３の実施形態では、図４、図５に示す第１の実施形態、および図８および図９に示す第２の実施形態で設けられているガイド部１６を備えていない点で、第１の実施形態および第２の実施形態とは相違する。
【００３９】
このように、図１０および図１１に示す第３の実施形態では、放水制御機構７（図７等を参照）である放水口４ｃは、導水路３の配設方向に沿って、排泄槽１２内部に向かって開口するスリット状に形成されている。この場合、導水路３の水は、スリット状の放水口４ｃにより、放水口４ｃから排泄槽１２へ向けて幕状に（つまり、水幕５の状態で）放出される。そのため、この第３の実施形態では、第１の実施形態（図４、図５）や第２の実施形態（図８および図９）で放水制御機構７の構成部材の１つとして設けていたガイド部１６を設ける必要がない。
【００４０】
このように、図１０および図１１に示す第３の実施形態では、導水路３のスリット状の放出口４ｃにより、放水制御機構７の構成部材の１つとしてのガイド部を設ける必要がない。そのため、部品点数を削減でき、水洗便器１の製造も容易になる。その結果、水洗便器１の製造コストを低減することができる。
【００４１】
また、本実施形態では、図１〜図９に示す第１の実施形態および第２の実施形態のように、放水口４ａあるいは放水口４ｂから放出させる水をガイド部１６に衝突させて方向変換させることがない。そのため、スリット状の放出口４ｃにより形成される水幕５の面は非常に円滑である。
【００４２】
以上の通り、本発明の実施形態について説明したが、本発明はここで挙げた実施形態に限られるものではない。
【００４３】
例えば、図１〜図１１に示す実施形態では、洋式便器に本発明を適用したが、本発明を適用できる便器は、洋式便器に限られない。本発明は、トイレの床に埋め込まれた和式便器等にも適用できる。また、放水口を有した導水路、および放水口から出る水を水幕にして排泄槽へ放出する放水制御機構を設けることができるのであれば、本発明を適用する便器の形状は特に限定されない。
【００４４】
本発明を洋式の水洗便器に適用する場合、本発明を適用する水洗便器は、水洗便器の洗浄方式で限定されない。例えば、洗い落とし式やトルネード式の水洗便器にも本発明を適用できる。
【００４５】
トルネード式の水洗便器は、排泄槽洗浄用の水を排泄槽に送る導管が、便器本体の上部周縁部以外の箇所に設けられるため、便器本体の上部周縁部におけるスペースを確保できる。そのため、トルネード式の水洗便器は、上部周縁部に本発明を適用しやすい。つまり、トルネード式の水洗便器は、本発明の水洗便器を製造しやすい点で好ましい。
【００４６】
図１〜図９に示す第１の実施形態および第２の実施形態では、便器本体２の上部周縁部６とガイド部１６を一体化させている。しかし、ガイド部は上部周縁部とは別の部材として設けることもできる。この場合、ガイド部の材質は、強度を確保でき、導水路からの水を水幕にして排泄槽へ放出できるのであれば、特に限定されない。たとえば、ガイド部は、セラミック、ステンレス等で成形できる。さらに、ガイド部の形状は、放水口からの水を水幕にして排泄槽へ放出できるのであれば、特に限定されるものではない。
【００４７】
また、本実施形態では、放水口が、排泄槽の上部周縁部において略上方に向かって開口し、ガイド部は、放水口の上側に設け、排泄槽の外側から内側に向かって湾曲した湾曲面を有するように構成されている。しかし、本発明は、この実施形態に限られることはない。例えば、放水口を上部周縁部の下方に向かって開口させ、かつガイド部を、導水路の下側に設けるようにすることもできる。
【００４８】
放水口の形状は本実施形態で挙げた円形や長孔状、あるいはスリット状に限られない。導水路から水を放出することができるのであれば、放水口の形状は特に限定はされない。また、本実施形態では、放水口は、便器本体の上部周縁部に均等な間隔で、ほぼ全域に亘って形成されているが、水幕を形成することができるものであれば、便器本体の上部周縁部の全域に亘って設ける必要はない。
【００４９】
また、本実施形態では、導水路は、便器本体の上部周縁部を加工して、上部周縁部に直接設けている（詳細には、本実施形態では、導水路は、便器本体の上部周縁部の上部壁と舌状部との間に環状の空間を設けることで形成されている）。しかし、導水路は、便器本体の上部周縁部にパイプ等の管体を別途設けることでも実現可能である。
【００５０】
また、本実施形態では、導水路の断面形状は円形であるが、その断面形状は特に限定されるものではなく、楕円、矩形、多角形等他の形状であっても構わない。また、本実施形態では、導水路は、図２に示したように、環状に連続して形成されているが、便器本体の左右両側に別々の独立した導水路を２つ設けてもよい。
【００５１】
さらに、ここで挙げた実施形態では、水幕を２つ形成しているが、水幕は２つに限られない。例えば、水幕を複数形成し、複数の水幕を衝突させるようにすることもできる。
【符号の説明】
【００５２】
１  水洗便器（洋式）
２  便器本体
３  導水路
４ａ  放水口（円形）
４ｂ  放水口（長孔状）
４ｃ  放水口（スリット状）
５  水幕
６  上部周縁部
６ａ  上部壁
６ｂ  舌状部
７  放水制御機構
１２  排泄槽
１６  ガイド部
１６ａ  湾曲面
【要約】
【課題】男性が立ち姿勢で排尿した際に尿が便器周辺に飛び散るのを防いで、トイレを清潔に保ち、トイレの衛生状態を向上させることができる水洗便器を提供する。
【解決手段】排泄物が排泄される排泄槽１２を有した便器本体２と、排泄槽１２の上部周縁部６に設けられた導水路３と、導水路３から排泄槽１２に向かって水が放出されるように開口した放水口４ａを有し、排泄槽１２へ向けて水幕５にする放水制御機構７とを有する。導水路３および放水制御機構７は、放水制御機構７から放出された複数の水幕５が衝突するように配設されている。
【選択図】図７【図１】
0005383945.tif 000002
【図２】
0005383945.tif 000003
【図３】
0005383945.tif 000004
【図４】
0005383945.tif 000005
【図５】
0005383945.tif 000006
【図６】
0005383945.tif 000007
【図７】
0005383945.tif 000008
【図８】
0005383945.tif 000009
【図９】
0005383945.tif 000010
【図１０】
0005383945.tif 000011
【図１１】
0005383945.tif 000012
【図１２】
0005383945.tif 000013